(57)【要約】  タッチセンサ（１）は、配線部（１７）と上下方向で重なるようにビューエリア（Ｖ）の外方に配置されたグランド部（２０）を備えている。グランド部（２０）は、導電性を有する複数の第１細線（１４）からなる複数のセル（１５）を並べて形成した網目状のグランド用メッシュパターン（２３）を含む。複数のセル（１５）は、各々が互いに隣接しかつ隣り合う一方のセル（１５）の頂点が他方のセル（１５）における辺部と接するように互いにずれた状態で配置されている。
2020022108.tif 000002
【特許請求の範囲】
【請求項１】
視覚的情報を透過して得られるビューエリアが設けられたタッチセンサであって、
前記ビューエリアの内方に配置されたセンサ電極と、
前記ビューエリアの外方に配置されていて、一端部が前記センサ電極と電気的に接続された配線部と、
前記配線部と上下方向で重なるように前記ビューエリアの外方に配置されたグランド部と、を備え、
前記グランド部は、導電性を有する第１細線からなる複数のセルを並べて形成した網目状の第１メッシュパターンを含み、
前記複数のセルの各々は、互いに隣接し、かつ隣り合う一方の前記セルの頂点が他方の前記セルにおける辺部と接するように互いにずれた状態で配置されている、タッチセンサ。
【請求項２】
請求項１に記載のタッチセンサにおいて、
前記複数のセルの各々は、その外形が仮想的な第１対角線および前記第１対角線よりも短い仮想的な第２対角線からなる矩形であり、かつ互いに同じ大きさの前記矩形となるように構成されており、
前記グランド部は、略帯状の第１帯部と、帯幅が前記第１帯部の帯幅よりも大きい略帯状の第２帯部と、を含み、
前記第１帯部は、前記複数のセルの各々の前記第１対角線が前記第１帯部の長手方向に沿って延びるように前記複数のセルの各々を配列して構成されている、タッチセンサ。
【請求項３】
請求項１または２に記載のタッチセンサにおいて、
前記センサ電極は、前記第１細線からなる前記複数のセルを並べて形成した第２メッシュパターンを含む、タッチセンサ。
【請求項４】
請求項１〜３のいずれか１項に記載のタッチセンサにおいて、
前記配線部は、
前記配線部の延伸方向に沿って延びかつ互いに間隔をあけて配置された導電性を有する少なくとも２つの第２細線と、
前記第２細線と交差する方向に延びかつ前記第２細線同士を架け渡すように前記第２細線同士の間に配置された導電性を有するブリッジ部と、を含む、タッチセンサ。
【請求項５】
請求項１〜４のいずれか１項に記載のタッチセンサにおいて、
前記グランド部は、一部または全部が前記グランド部の周縁部に位置するように配置された導電性を有する第３細線を有し、
前記第３細線は、前記第１メッシュパターンを構成する前記第１細線と電気的に接続されている、タッチセンサ。
【発明の詳細な説明】
【技術分野】
【０００１】
本開示はタッチセンサに関するものである。
【背景技術】
【０００２】
従来から、タッチ操作を行うことが可能なタッチセンサに関し、例えば特許文献１に示されるものが知られている。【０００３】
この特許文献１には、第一基板と、第一基板の上方に配置された第二基板と、第一基板の上面において略帯状に形成された複数の送信電極（第一の電極）と、第二基板の上面において略帯状に形成された複数の受信電極（第二の電極）と、第一基板の上面に形成されかつ複数の送信電極の各々と電気的に接続された複数の第一の配線部と、第２基板の上面に形成されかつ複数の受信電極の各々と電気的に接続された複数の第二の配線部と、を備えたタッチセンサが開示されている。【０００４】
第一および第二基板の各々は、送信電極と受信電極とが互いに交差した状態となるように互いに積層配置されている。第一基板の上面には、送信電極および受信電極の各々と電気的に絶縁されたベタ状のシールド部が形成されている。このシールド部は、各送信電極に接続された配線部の上方に配置されている。
【先行技術文献】
【特許文献】
【０００５】
【特許文献１】国際公開第２０１４／１７４７６４号明細書
【発明の概要】
【発明が解決しようとする課題】
【０００６】
特許文献１のタッチセンサでは、ベタ状のシールドが送信電極に接続された配線部の上方において当該配線部と重なるように配置されている。これにより、タッチセンサの外側からの配線部へのノイズや静電気などの進入を抑制することが可能となっていた。【０００７】
しかしながら、特許文献１のタッチセンサでは、ベタ状のシールドと複数の配線部との重なり部分の領域が相対的に大きくなってしまうことから、上記シールドと配線部との間に容量結合が生じやすくなっていた。すなわち、特許文献１のタッチセンサでは、上記シールドと配線部との重なり部分に容量結合が生じやすい構造となっていたので、かかる構造により、タッチセンサの検出精度が低下してしまうおそれがあった。【０００８】
本開示は斯かる点に鑑みてなされたものであり、その目的は、タッチセンサの外側からノイズや静電気などがビューエリア内に進入することを抑えられるとともに、配線部における容量結合を抑制することにある。
【課題を解決するための手段】
【０００９】
上記の目的を達成するために、本開示の一実施形態に係るタッチセンサには、視覚的情報を透過して得られるビューエリアが設けられており、このタッチセンサは、ビューエリアの内方に配置されたセンサ電極と、ビューエリアの外方に配置されていて、一端部がセンサ電極と電気的に接続された配線部と、配線部と上下方向で重なるようにビューエリアの外方に配置されたグランド部と、を備えている。グランド部は、導電性を有する第１細線からなる複数のセルを並べて形成した網目状の第１メッシュパターンを含む。複数のセルの各々は、互いに隣接し、かつ隣り合う一方のセルの頂点が他方のセルにおける辺部と
接するように互いにずれた状態で配置されていることを特徴とする。
【発明の効果】
【００１０】
本開示によると、タッチセンサの外側からノイズや静電気などがビューエリア内に進入することを抑えられるとともに、配線部における容量結合も抑制できる。
【図面の簡単な説明】
【００１１】
【図１】図１は、本開示の実施形態に係るタッチセンサの全体斜視図である。
【図２】図２は、第１および第２基板を重ね合わせた状態を概略的に示す平面図である。
【図３】図３は、第１基板の構成を示す平面図である。
【図４】図４は、第２基板の構成を示す平面図である。
【図５】図５は、図３のＡ部を拡大して示す部分拡大平面図である。
【図６】図６は、図３のＢ部を拡大して示す部分拡大平面図である。
【図７】図７は、図５のVII−VII線拡大断面図である。
【図８】図８は、図３のＣ部を拡大して示す部分拡大平面図である。
【図９】図９は、図３のＤ部を拡大して示す部分拡大平面図である。
【図１０】図１０は、図４のＥ部を拡大して示す部分拡大平面図である。
【図１１】図１１は、図４のＦ部を拡大して示す部分拡大平面図である。
【図１２】図１２は、本開示の実施形態に係るタッチセンサの変形例として、送信電極、配線部、および第１グランドを、第２基板の下面に形成した構成を示す平面図である。
【発明を実施するための形態】
【００１２】
以下、本開示の実施形態を図面に基づいて詳細に説明する。以下の実施形態の説明は、本質的に例示に過ぎず、本開示、その適用物或いはその用途を制限することを意図するものではない。
【００１３】
図１は、本開示の実施形態に係るタッチセンサ１の全体を示している。このタッチセンサ１は、タッチ操作が可能なセンサ型入力装置である。タッチセンサ１は、例えば液晶ディスプレイまたは有機ＥＬディスプレイ等の表示装置が組み込まれた種々の機器（例えばカーナビゲーション等の車載装置、パーソナルコンピュータのディスプレイ機器、携帯電話、携帯情報端末、携帯型ゲーム機、コピー機、券売機、現金自動預け払い機、時計など）に対する入力装置として用いられる。
【００１４】
以下の説明において、タッチセンサ１の長辺方向（図１の左下から右上に向かう方向）をＸ軸方向とする一方、Ｘ軸方向に直交しかつタッチセンサ１の短辺方向（図１の右下から左上に向かう方向）をＹ軸方向として定めるものとする。また、後述するカバー部材２の操作面２ｂ側を「上側」とし、操作面２ｂの反対側を「下側」としてタッチセンサ１の上下方向を定めるものとする。なお、このような位置関係は、タッチセンサ１またはタッチセンサ１が組み込まれた機器における実際の方向とは無関係である。
【００１５】
（カバー部材）
図１に示すように、タッチセンサ１は、光透過性を有するカバー部材２を備えている。カバー部材２は、カバーガラスまたはプラスチック製のカバーレンズからなる。カバー部材２は、例えば長方形の板状に形成されている。カバー部材２は、後述する第２基板６の上面に積層配置されている。
【００１６】
カバー部材２の外周位置には、印刷等により黒色等の暗色で略額縁状の窓枠部２ａが形成されている。この窓枠部２ａで囲まれた内部の矩形領域は、透光可能なビューエリアＶ（図２参照）として構成されている。ビューエリアＶは、タッチセンサ１における視覚的情報を透過して得るための領域である。ビューエリアＶに対応するカバー部材２の上面は、タッチ操作に伴い使用者の手指などが接触する操作面２ｂとして構成されている。
【００１７】
（フレキシブル配線板）
タッチセンサ１は、フレキシブル配線板３を備えている。フレキシブル配線板３は、柔軟性を有しかつ変形状態でもその電気的特性が変化しないように構成されている。フレキシブル配線板３は、例えばポリイミド（ＰＩ）、ポリエチレンテレフタレート（ＰＥＴ）、ポリエチレンナフタレート（ＰＥＮ）等の可撓性を有する絶縁フィルムからなる。フレキシブル配線板３は、その先端部が例えば図示しない異方導電性接着剤により後述する第１基板５および第２基板６の上面側に固着されるように構成されている。
【００１８】
（基板）
図２〜図４に示すように、タッチセンサ１は、基板４，４を備えている。基板４，４は、第１基板５および第２基板６からなる。第２基板６は、図示しない光透過性を有する粘着層を介して第１基板５の上側に積層配置されている。
【００１９】
第１および第２基板５，６の各々は、例えばポリカーボネート、ポリエチレンテレフタレート、ポリエーテルサルホン、ＰＭＭＡ(アクリル)、ポリアリレート、ＣＯＰ（シクロオレフィンポリマー）、ＣＯＣ（シクロオレフィンコポリマー）等のような光透過性を有する樹脂材等、またはガラスからなる。
【００２０】
第１および第２基板５，６の各々は、略長方形に形成されている。第１基板５の下面側には、図示しない液晶ディスプレイが配置されている。なお、第２基板６が比較的硬い材質で構成されている場合には、特にカバー部材２を設けなくてもよい。かかる場合、第２基板６に略額縁状の窓枠部２ａを形成しかつビューエリアＶを設けるようにすればよい。
【００２１】
図７に示すように、第１基板５の上面には、後述する第１細線１４および接続端子１６の材料となる導電金属を埋設するための溝部７，７，…が形成されている。なお、図７では第１基板５の上面に形成された溝部７，７，…を示しているが、これと同様に、第２基板６の上面にも溝部７，７，…が形成されている。
【００２２】
（センサ電極）
図２〜図４に示すように、タッチセンサ１は、センサ電極１０，１０，…を備えている。センサ電極１０，１０，…は、ビューエリアＶ内に配置されている。センサ電極１０，１０，…は、カバー部材２の操作面２ｂに接触した使用者の手指（検知対象物）によるタッチ操作の検知が可能な静電容量方式として構成されている。センサ電極１０，１０，…は、送信電極１１，１１，…および受信電極１２，１２，…からなる。
【００２３】
送信電極１１，１１，…は、図示しない駆動回路に接続されている。送信電極１１，１１，…は、上記駆動回路により周囲に電界を放射するように構成されている。図３に示すように、送信電極１１，１１，…は、第１基板５の上面に形成されている。各送信電極１１は、平面視において長辺がＹ軸方向に沿って略帯状に延びている。送信電極１１，１１，…は、Ｘ軸方向に間隔をあけて配置されている。
【００２４】
受信電極１２，１２，…は、送信電極１１，１１，…から放射された電界を受信するように構成されている。図４に示すように、受信電極１２，１２，…は、第２基板６の上面に形成されている。各受信電極１２は、平面視において長辺がＸ軸方向に沿って略帯状に延びている。受信電極１２，１２，…は、Ｙ軸方向に間隔をあけて配置されている。各受信電極１２は、各送信電極１１と上下方向に間隔をあけて互いに略直交するように配置されている（図２参照）。すなわち、各受信電極１２は、各送信電極１１と絶縁された状態で各送信電極１１と交差している。
【００２５】
図５および図６に示すように、各センサ電極１０は、所定形状のセンサ用メッシュパターン１３（第２メッシュパターン）を含む。この実施形態において、センサ用メッシュパターン１３は、導電性を有する第１細線１４，１４，…が互いに交差しかつ等間隔に配置された網目状となるように形成されている。なお、第１細線１４，１４，…は、等間隔に配置されていなくてもよい。
【００２６】
各第１細線１４は、基板４の上面に形成された溝部７に銅や銀などの導電金属が埋設された導電層Ｍとして構成されている。第１細線１４は、幅寸法が例えば２μｍ以下となるように形成されているのが望ましい。
【００２７】
各第１細線１４は、後述する接続端子１６に接続されている。各第１細線１４は、Ｘ軸方向およびＹ軸方向の各々に対して斜め方向に延びている。具体的に、第１細線１４は、その線方向が接続端子１６を斜めに横切るように接続端子１６と交差している。第１細線１４，１４，…と接続端子１６との接続交点同士は、接続端子１６の長手方向（Ｘ軸方向）において互いに間隔をあけて配置されている。
【００２８】
各セル１５は、互いに同じ大きさに形成されかつ２つの対角線の長さが互いに異なる平行四辺形に形成されている。具体的に、セル１５，１５，…は、各々の外形が仮想的な第１対角線１５ａおよび第１対角線１５ａよりも短い仮想的な第２対角線１５ｂからなるひし形（すなわち、４つの辺の長さが全て等しい平行四辺形）に形成されている。また、セル１５，１５，…は、互いに同じ大きさのひし形となるように構成されている。センサ用メッシュパターン１３を構成する各セル１５は、第２対角線１５ｂがＸ軸方向に延びかつ第１対角線１５ａがＹ軸方向に延びるように配置されている。
【００２９】
（接続端子）
図５および図６に示すように、各センサ電極１０は、接続端子１６，１６を有している。各接続端子１６は、ビューエリアＶの周縁近傍に配置されている。具体的に、各接続端子１６は、センサ電極１０の長手方向における一端部および他端部のそれぞれの位置に配置されている。
【００３０】
各送信電極１１の接続端子１６，１６は、Ｘ軸方向に沿って延びる細線状の単線からなる。また、図示しないが、各受信電極１２の接続端子１６，１６は、Ｙ軸方向に沿って延びる細線状の単線からなる。すなわち、この細線状の単線は、各センサ電極１０の短辺方向に沿って連続的に延びている。
【００３１】
各接続端子１６は、第１細線１４，１４，…と交差した状態でセンサ用メッシュパターン１３の端部に接続されている。すなわち、接続端子１６は、第１細線１４，１４，…と電気的に接続されている。
【００３２】
図示しないが、各接続端子１６は、基板４の上面に形成された溝部７に銅や銀などの導電金属が埋設された導電層Ｍとして構成されている。各接続端子１６は、幅寸法が例えば８μｍとなるように形成されているのが望ましい。
【００３３】
（配線部）
図２〜図４に示すように、タッチセンサ１は、センサ電極１０，１０，…を図示しない外部回路と電気的に接続するための配線部１７，１７，…を備えている。配線部１７，１７，…は、ビューエリアＶの外方に配置されている（図２参照）。
【００３４】
図５に示すように、配線部１７は、略梯子状に形成されている。具体的に、配線部１７は、導電性を有する一対の第２細線１８，１８および少なくとも１つのブリッジ部１９からなる。図示しないが、第２細線１８，１８およびブリッジ部１９の各々は、第１細線１４と同様に、基板４の上面に形成された溝部７に銅や銀などの導電金属が埋設された導電層Ｍとして構成されている。各第２細線１８の線幅は、例えば２〜８μｍが望ましい。
【００３５】
第２細線１８，１８は、各々が配線部１７の延伸方向に沿って延びている。第２細線１８，１８は、互いに間隔をあけて配置されている。ブリッジ部１９は、各第２細線１８と交差する方向に延びかつ各第２細線１８と連続している。すなわち、ブリッジ部１９は、第２細線１８，１８同士を架け渡すように第２細線１８，１８同士の間に配置されている。
【００３６】
図３に示すように、第１基板５の上面に形成された配線部１７の一端部は、送信電極１１の端部（図５に示す接続端子１６）と連続している。すなわち、配線部１７の一端部は、送信電極１１と電気的に接続されている。また、この配線部１７の他端部は、フレキシブル配線板３と電気的に接続されている。
【００３７】
図４に示すように、第２基板６の上面に形成された配線部１７の一端部は、受信電極１２の端部（図示しない受信電極１２の接続端子１６）と連続している。すなわち、配線部１７の一端部は、受信電極１２と電気的に接続されている。また、この配線部１７の他端部は、フレキシブル配線板３と電気的に接続されている。
【００３８】
（グランド部）
図２に示すように、タッチセンサ１は、グランド電位に設定されたグランド部２０，２０，…を備えている。グランド部２０，２０，…は、センサ電極１０，１０，…および配線部１７，１７，…と電気的に絶縁されている。グランド部２０，２０，…は、ビューエリアＶの外方に配置されている。具体的に、グランド部２０，２０，…は、第１および第２基板５，６が互いに積層配置された状態において、ビューエリアＶの外周を囲うようにビューエリアＶの周囲の位置に配置されている。
【００３９】
図２〜図４に示すように、グランド部２０，２０，…は、第１グランド部２１および第２グランド部２２，２２により構成されている。なお、図２〜図４では、第１グランド部２１および第２グランド部２２，２２を強調して示すために、第１グランド部２１および第２グランド部２２，２２に対してドットのハッチングを付している。
【００４０】
図３に示すように、第１グランド部２１は、第１基板５の上面に形成されている。第１グランド部２１は、ビューエリアＶの外方において送信電極１１，１１，…および第１基板５上の配線部１７，１７，…を避けた位置に配置されている。具体的に、第１グランド部２１は、第１基板５の周縁部寄りに配置されていて、Ｘ軸方向およびＹ軸方向に沿って延びている。第１グランド部２１は、第２基板６の上面に位置する配線部１７，１７，…と上下方向で重なるように配置されている（図２参照）。
【００４１】
なお、詳細な図示は省略するが、第１グランド部２１にはグランド部用の配線部が接続されている。グランド部用の配線部は、例えば上述した配線部１７と同様の梯子状などに構成されていると望ましく、グランド部用の配線部は、その一端が第１グランド部２１に接続され、他端がフレキシブル配線板３と電気的に接続されていて、このグランド部用の配線部を通じて第１グランド部２１はグランド電位に設定可能になっている。
【００４２】
図４に示すように、第２グランド部２２，２２は、第２基板６の上面に形成されている。第２グランド部２２，２２は、ビューエリアＶの外方において受信電極１２，１２，…および第２基板６上の配線部１７，１７，…を避けた位置に配置されている。具体的に、第２グランド部２２，２２は、第２基板６の周縁部寄りの位置に配置されていて、Ｘ軸方向およびＹ軸方向に沿って延びている。第２グランド部２２，２２は、第１基板５の上面に位置する配線部１７，１７，…と上下方向で重なる位置に配置されている（図２参照）。
【００４３】
なお、詳細な図示は省略するが、第２グランド部２２にもグランド部用の配線部が接続されている。グランド部用の配線部は、例えば上述した配線部１７と同様の梯子状などに構成されていると望ましく、グランド部用の配線部は、その一端が第２グランド部２２に接続され、他端がフレキシブル配線板３と電気的に接続されていて、このグランド部用の配線部を通じて第２グランド部２２はグランド電位に設定可能になっている。
【００４４】
次に、図８〜図１１に示すように、各グランド部２０は、導電性を有する第１細線１４，１４，…からなる複数のセル１５，１５，…を並べて網目状に形成したグランド用メッシュパターン２３（第１メッシュパターン）を含む。すなわち、グランド用メッシュパターン２３は、センサ用メッシュパターンの構成要素と共通している。なお、第１細線１４，１４，…およびセル１５，１５，…については、その詳細な説明を省略する。
【００４５】
グランド用メッシュパターン２３を構成するセル１５，１５，…は、各々が互いに隣接するように配置されている。このセル１５，１５，…は、隣り合う一方のセル１５の頂点が他方のセル１５における辺部と接するように互いにずれた状態で配置されている。具体的に、この実施形態では、隣り合う一方のセル１５の頂点が他方のセル１５における辺部の中点に接している。
【００４６】
より具体的に、辺部とは、セル１５において隣り合う二つの頂点同士の間を繋ぐ部位であり、当該形態では、前記他方のセル１５の直線状の前記一つの辺部に対して、前記一方のセル１５の前記一つの頂点が位置する。前記他方のセル１５の前記一つの辺部は、前記一方のセル１５の前記一つの頂点から一方側で隣り合う他の頂点までに伸びる辺部の一部分と一致している。そして、前記一方のセル１５は前記一つの頂点から他方側で隣り合う他の頂点を繋ぐ他の辺部を有し、前記他の辺部は、前記一つの頂点から前記他方のセル１５の前記一つの辺部に交差する方向に直線状に伸びている。
【００４７】
次に、図３および図４に示すように、各グランド部２０は、第１および第２帯部２４，２５を含む。
【００４８】
図３に示すように、第１グランド部２１の第１帯部２４は、ビューエリアＶの外方において図３の紙面上側に位置する各送信電極１１の端部近傍に配置されている。この第１帯部２４は、Ｘ軸方向に沿って略帯状に延びている。第１帯部２４は、その帯幅が第１グランド部２１の第２帯部２５，２５の帯幅よりも小さくなるように形成されている。
【００４９】
第１グランド部２１の第２帯部２５，２５は、ビューエリアＶの外方において図３の紙面における左右両側および下側に配置されている。この第２帯部２５，２５は、Ｘ軸方向およびＹ軸方向に沿って略帯状に延びている。第２帯部２５，２５は、図３の紙面上側における左右両側の隅角部で第１帯部２４と連続している。
【００５０】
図８に示すように、第１グランド部２１の第１帯部２４は、セル１５の第１対角線１５ａが第１帯部２４の長手方向（Ｘ軸方向）に沿って延びるように配列されている。また、図９に示すように、第１グランド部２１の第２帯部２５は、セル１５の第１対角線１５ａがＸ軸方向に沿って延びるように配列されている。
【００５１】
図４に示すように、第２グランド部２２の第１帯部２４は、ビューエリアＶの外方において図４の紙面上側に位置する受信電極１２の近傍に配置されている。この第１帯部２４は、Ｘ軸方向に沿って略帯状に延びている。第１帯部２４は、その帯幅が第２帯部２５の帯幅よりも小さくなるように形成されている。
【００５２】
第２グランド部２２の第２帯部２５は、ビューエリアＶの外方において図４の紙面下側に配置されている。この第２帯部２５は、Ｘ軸方向に沿って略帯状に延びている。なお、第２帯部２５は、Ｘ軸方向の中央部が中央部以外の部分よりもＹ軸方向の幅が大きくなるように形成されている。
【００５３】
図１０に示すように、第２グランド部２２の第１帯部２４は、各セル１５の第１対角線１５ａが第１帯部２４の長手方向（Ｘ軸方向）に沿って延びるように配列されている。また、図１１に示すように、第２グランド部２２の第２帯部２５は、各セル１５の第１対角線１５ａがＸ軸方向に沿って延びるように配列されている。
【００５４】
次に、図２〜図４に示すように、グランド部は、第３細線２６，２６，…を含む。図示しないが、各第３細線２６は、第１細線１４と同様に、基板４の上面に形成された溝部７に銅や銀などの導電金属が埋設された導電層Ｍとして構成されている。第３細線２６の線幅は、例えば２〜８μｍが望ましい。
【００５５】
各第３細線２６は、Ｘ軸方向およびＹ軸方向に沿って延びている。各第３細線２６は、その一部または全部が各グランド部２０の周縁部に位置するように配置されている。
【００５６】
図３に示すように、第１グランド部２１において、グランド用メッシュパターン２３の外周側には、一方の第３細線２６が配設されている（図８参照）。また、第１グランド部２１において、グランド用メッシュパターン２３の内周側の一部には、他方の第３細線２６が配設されている（図９参照）。
【００５７】
図４に示すように、第２グランド部２２の第１帯部２４において、グランド用メッシュパターン２３の外周側には、一方の第３細線２６が配設されている（図１０参照）。この一方の第３細線２６は、第１帯部２４の左右端部から図４の紙面下側に向かって配線部１７，１７，…の線方向に沿って延びている。また、第２グランド部２２の第２帯部２５において、グランド用メッシュパターン２３の外周側の一部には、他方の第３細線２６が配設されている（図１１参照）。
【００５８】
図８〜図１１に示すように、各第３細線２６は、グランド用メッシュパターン２３を構成する第１細線１４，１４，…と交差状に接続されている。すなわち、各第３細線２６は、グランド用メッシュパターン２３を構成する第１細線１４，１４，…と電気的に接続されている。
【００５９】
［実施形態の作用効果］
以上のように、タッチセンサ１では、グランド用メッシュパターン２３（第１メッシュパターン）を含むグランド部２０，２０，…が、ビューエリアＶの外方に位置する配線部１７，１７，…と上下方向で重なるようにビューエリアＶの外方に配置されている。このグランド部２０，２０，…でビューエリアＶの外周を囲うようにすることにより、タッチセンサ１の外側からノイズや静電気などがビューエリアＶ内に進入することを抑制することが可能となる。
【００６０】
グランド用メッシュパターン２３は、導電性を有する第１細線１４，１４，…からなる複数のセル１５，１５，…を並べて網目状に形成されている。このグランド用メッシュパターン２３により、上下方向における第１細線１４，１４，…と配線部１７，１７，…との重なり部分の領域が、従来のようなベタ状のシールド部を備えるタッチセンサと比較して相対的に少なくなる。その結果、タッチセンサ１では、各グランド部２０に起因する配線部１７，１７，…での容量結合の発生を抑制することが可能となる。
【００６１】
複数のセル１５，１５，…は、各々が互いに隣接しかつ隣り合う一方のセル１５の頂点が他方のセル１５における辺部と接するように互いにずれた状態で配置されている。これにより、例えば何らかの要因により他方のセル１５における辺部の一部が断線したような場合であっても、互いに隣り合うセル１５，１５同士の関係において、一方のセル１５の頂点と、他方のセル１５における辺部の断線していない部分との導通状態が保たれやすくなる。すなわち、グランド用メッシュパターン２３の全体としての導電状態を安定させることが可能となる。その結果、静電気などの異常放電等によるグランド部２０，２０，…の断線リスクを軽減することができる。
【００６２】
したがって、本開示の実施形態に係るタッチセンサ１では、タッチセンサ１の外側からノイズや静電気などがビューエリアＶ内に進入することを抑制するとともに、配線部１７，１７，…および各グランド部２０に起因する容量結合の発生を抑制することができる。さらに、静電気などの異常放電等によるグランド部２０，２０，…の断線リスクを軽減することができる。
【００６３】
なお、タッチセンサ１では、各第１細線１４の線幅を細くすることも可能となり、額縁部２ａおよびその近傍が暗くなることを抑制することも可能である。
【００６４】
また、少なくとも第１帯部２４は、各セル１５を構成するひし形の第１対角線１５ａが第１帯部２４の長手方向に沿って延びるように構成されている。これにより、少なくとも第１帯部２４の帯幅を小さくする場合、つまりビューエリアＶの外方に位置するタッチセンサ１の額縁部分の幅寸法を狭める構成とする場合でも、帯幅内で長手方向に繋がる第１細線１４の実質本数を多く確保することができ、第１帯部２４のノイズや静電気の進入に対する耐性の確保も可能となる。
【００６５】
また、各センサ電極１０は、第１細線１４，１４，…からなる複数のセル１５，１５，…を並べて網目状に形成したセンサ用メッシュパターン１３を含む。すなわち、センサ用メッシュパターン１３は、グランド用メッシュパターン２３の構成要素と共通している。
【００６６】
また、配線部１７は、少なくとも２つの第２細線１８，１８と、第２細線１８，１８と交差する方向に延びかつ第２細線１８，１８同士を架け渡すように第２細線１８，１８同士の間に配置された導電性を有する少なくとも１つのブリッジ部１９と、を含む。これにより、タッチセンサ１の額縁部分の明るさが低減しないようにすることができる。さらに、各第２細線１８の線幅や線間寸法などを小さくすることにより、タッチセンサ１の上記額縁部分を狭めることも可能となる。
【００６７】
また、グランド部２０は、一部または全部がグランド部２０の周縁部に位置するように配置された導電性を有する第３細線２６を有している。第３細線２６は、グランド用メッシュパターン２３を構成する第１細線１４，１４，…と電気的に接続されている。これにより、タッチセンサ１の外側からノイズや静電気などが進入しにくくなる。その結果、特に静電気などの異常放電等によるグランド部２０の断線リスクを軽減することができる。また、外側から進入したノイズや静電気を、第３細線２６の長手方向において分散することも可能となる。さらに、第３細線２６の線幅を第１細線１４の線幅よりも大きくするのが好ましい。これにより、第３細線２６による上記効果が顕著となる。
【００６８】
［実施形態の変形例］
上記実施形態では、２つの基板４，４（第１基板５および第２基板６）を有する形態を示したが、この形態に限られない。例えば、タッチセンサ１の変形例として、１つの基板４（例えば第２基板６）のみを設けた形態としてもよい。具体的に、図１２に示すように、送信電極１１，１１，…（センサ電極１０，１０，…）、配線部１７，１７，…、および第１グランド部２１（グランド部２０）を、第２基板６の下面に形成すればよい。すなわち、タッチセンサ１として、センサ電極１０，１０，…等を単一の基板４の両面に形成した構成（以下「両面構成」という）を適用した形態としてもよい。そして、本変形例では、上記実施形態で示した第１基板５、および第１基板５と第２基板６との間に配置された光透過性を有する粘着層（ＯＣＡなど）が不要となる。
【００６９】
本変形例（両面構成を適用した形態）では、上記粘着層が送信電極１１，１１，…と受信電極１２，１２，…との間に介在しないことから、タッチセンサ１の厚み方向において、送信電極１１，１１，…と受信電極１２，１２，…との間隔が、上記実施形態（第１基板５および第２基板６を有する形態）と比較して小さくなる。そして、上記粘着層における誘電率の温度依存性は、基板４に適用される材料における誘電率の温度依存性よりも大きくなるのが一般的であることから、本変形例では、各送信電極１１から放射された電界が、誘電率の温度依存性が相対的に大きい上記粘着層の影響を受けずに、各受信電極１２に受信されるようになる。このように、本変形例では、タッチセンサ１としてのセンシング性能が相対的に向上するという利点がある。
【００７０】
また、上記実施形態で示した２枚の基板４，４（第１基板５および第２基板６）を有する形態では、両基板４，４を互いに貼り合わせたときに位置ずれが生じやすくなる。この位置ずれにより、ビューエリアＶの外方に位置する各グランド部２０の内縁部が、各センサ電極１０の端部に対して近づいてしまう場合がある。かかる場合には、各グランド部２０と各センサ電極１０との間に寄生容量が発生しやすくなり、この寄生容量によりタッチセンサ１としてのセンシング性能が低下するおそれがある。これに対し、本変形例では、上述したような位置ずれが生じず、各グランド部２０を各センサ電極１０に対して適正な位置に配置することが可能である。このため、本変形例では、センシング性能が安定しやすいという利点がある。
【００７１】
［その他の実施形態］
上記実施形態では、２つの基板４，４（第１基板５および第２基板６）を有する形態を示したが、この形態に限られない。例えば、送信側と受信側の互いのセンサ電極１０，１０，…同士、各グランド部２０，２０，…同士などを、１つの基板４の同じ側の面に絶縁性を保った状態で配置してもよい。このようにしても、上記変形例と同様の利点が得られる。
【００７２】
また、上記実施形態では、第１基板５の上面に第１細線１４および接続端子１６の材料となる導電金属を埋設するための溝部７，７，…を形成した形態を示したが、この形態に限られない。例えば、その他の形態として、第１基板５の上面に絶縁樹脂層を形成し、絶縁樹脂層の上面側に凹部（図示せず）を設けて、上記導電金属を上記凹部に埋設してもよい。あるいは、上記導電金属を、第１基板５の上面側に印刷してもよい。上記導電金属を、第１基板５の上面側にエッチングによって形成して配置してもよい。上記実施形態で示した第２基板６についても、第１基板５と同様に、上記その他の形態を適用することが可能である。また、上記変形例（両面構成を適用した形態）についても、上記その他の形態を適用することが可能である。
【００７３】
また、上記実施形態では、第１細線１４および接続端子１６の各々が導電金属により構成される形態を示したが、この形状に限られない。例えば、第１細線１４および接続端子１６の各々を、導電樹脂、酸化インジウム錫、酸化錫等の光透過性を有する透明材（透明導電膜）で構成してもよい。
【００７４】
また、上記実施形態では、ひし形に形成された各セル１５を示したが、この形状に限られない。例えば、各セル１５を、４つの角が全て等しい平行四辺形（すなわち正方形や長方形）に形成してもよい。あるいは、各セル１５を、正方形、ひし形、および長方形のいずれにも該当しない平行四辺形に形成してもよい。各セル１５の形状は矩形に限られることもなく、異形状などに形成されていてもよい。
【００７５】
また、上記実施形態では、グランド用メッシュパターン２３を構成するセル１５，１５，…において、隣り合う一方のセル１５の頂点が他方のセル１５における辺部の中点に接している形態を示したが、この形態に限られない。すなわち、隣り合う一方のセル１５の頂点が、他方のセル１５における辺部の中点以外の位置に接していてもよい。
【００７６】
また、上記実施形態では、配線部１７を略梯子状に形成した形態を示したが、この形態に限られない。すなわち、配線部１７をメッシュ状に形成してもよい。具体的に、配線部１７を３つ以上の第２細線１８，１８，…および複数のブリッジ部１９，１９，…により構成してもよい。
【００７７】
また、グランド部２０に関し、グランド部２０を構成する各第１細線１４の線幅、あるいはグランド用メッシュパターン２３を構成する各セル１５の開口率などを適宜設定してもよい。かかる設定により、上述の作用効果（すなわち、タッチセンサ１の外側からノイズや静電気などがビューエリアＶ内に進入することを抑制するとともに、配線部１７，１７，…および各グランド部２０に起因する容量結合の発生を抑制すること）を奏しつつ、ビューエリアＶの外周近傍において所望の明るさが得られるように調整することができる。
【００７８】
以上、本開示についての実施形態を説明したが、本開示は上述の実施形態のみに限定されず、発明の範囲内で種々の変更が可能である。
【産業上の利用可能性】
【００７９】
本開示は、タッチ操作を行うことが可能なタッチセンサ型入力装置として産業上の利用が可能である。
【符号の説明】
【００８０】
１：タッチセンサ
２：カバー部材
３：フレキシブル配線板
４：基板
５：第１基板
６：第２基板
７：溝部
１０：センサ電極
１１：送信電極
１２：受信電極
１３：センサ用メッシュパターン（第２メッシュパターン）
１４：第１細線
１５：セル
１５ａ：第１対角線
１５ｂ：第２対角線
１６：接続端子
１７：配線部
１８：第２細線
１９：ブリッジ部
２０：グランド部
２１：第１グランド部
２２：第２グランド部
２３：グランド用メッシュパターン（第１メッシュパターン）
２４：第１帯部
２５：第２帯部
２６：第３細線
Ｖ：ビューエリア
【図１】
2020022108.tif 000003
【図２】
2020022108.tif 000004
【図３】
2020022108.tif 000005
【図４】
2020022108.tif 000006
【図５】
2020022108.tif 000007
【図６】
2020022108.tif 000008
【図７】
2020022108.tif 000009
【図８】
2020022108.tif 000010
【図９】
2020022108.tif 000011
【図１０】
2020022108.tif 000012
【図１１】
2020022108.tif 000013
【図１２】
2020022108.tif 000014
【国際調査報告】
2020022108.tif 000015
2020022108.tif 000016
2020022108.tif 000017
2020022108.tif 000018